(57)【要約】【課題】切断手段を用いることなく、かつ外観が悪くなることなく、第１の長さを有する領域と第２の長さを有する２つの領域とに容易にラベルを貼着する。【解決手段】一方の面に貼着構造１５を具備し、その貼着構造１５によって被着体に貼着されるラベル部１０と、一方の面に粘着剤２２ａ，２２ｂが塗布され、その粘着剤２２ａ，２２ｂによって被着体に貼着される２つのラベル部２０ａ，２０ｂとを有し、ラベル部１０は、帯状形状を具備し、貼着構造１５を具備する面が内側となるように長辺方向中央部にて折り畳まれ、折り畳み状態にて互いに対向する面が貼着構造１５によって剥離可能に貼着され、ラベル部２０ａ，２０ｂは、ラベル部１０の折り畳み状態にて外側となる２つの面のそれぞれに、粘着剤２２ａ，２２ｂが塗布された面がラベル部１０に対向するように剥離可能に貼着されている。【選択図】図１
2010185949.tif 000002
【特許請求の範囲】
【請求項１】
一方の面に第１の貼着構造を具備し、該第１の貼着構造によって被着体に貼着される第１のラベル部と、一方の面に第２の貼着構造を具備し、該第２の貼着構造によって被着体に貼着される２つの第２のラベル部とを有するラベルユニットであって、
前記第１のラベル部は、帯状形状を具備し、前記第１の貼着構造を具備する面が内側となるように長辺方向中央部にて折り畳まれ、折り畳み状態にて互いに対向する面が前記第１の貼着構造によって剥離可能に貼着され、
前記第２のラベル部は、前記第１のラベル部の折り畳み状態にて外側となる２つの面のそれぞれに、前記第２の貼着構造を具備する面が前記第１のラベル部に対向するように剥離可能に貼着されているラベルユニット。
【請求項２】
請求項１に記載の封緘ラベルにおいて、
前記第１の貼着構造は、粘着剤と剥離剤とが、前記第１のラベル部の折り畳み状態にて互いに対向する面で互い違いとなるように配列されているラベルユニット。
【発明の詳細な説明】
【技術分野】
【０００１】
本発明は、被着体となる物品に貼着されるラベル部を有するラベルユニットに関し、特に、段ボール等の箱状物を封緘する際に有効なラベルユニットに関する。
【背景技術】
【０００２】
従来より、衣料品や食料品、あるいはその他小物等の物品を送付する場合、これらの物品を段ボールに封入して発送することが行われている。このように段ボールを用いた場合、１つの送付先に複数の物品をまとめて送付したり、物品に手紙等を同封して送付先に送付したりすることができるため、物品を送付する利用者は、そのほとんどが段ボールを利用して物品を送付している。また、引越し等の際においても、段ボールは、衣料品や小物家具等を複数まとめて封入することができるため、必ず利用されていると言ってもよい。
【０００３】
このように段ボールに物品を封入する場合、物品を封入した後、送付途中あるいは搬送途中において、封入した物品が段ボールから脱落してしまうことを回避するために粘着テープによって段ボールが封緘されている。一般に、段ボールを封緘する場合、段ボールに物品を封入した後、段ボールのフラップ部を折り畳み、この２つのフラップ部の先端辺に沿って、２つのフラップ部の先端辺及び段ボールの側板に跨って粘着テープが貼着される。さらに、上記のように貼着されたフラップ部の２つの側辺に沿って、フラップ部の側辺と段ボールの側面とに跨って粘着テープを貼着することにより、封緘状態を補強することができる。この際、利用者は、ロール状に巻き取られてなる粘着テープをフラップ部の先端辺や段ボールの側面の一辺の長さに応じてカットして使用している。そのため、粘着テープをはさみ等でカットする場合は、はさみ等の切断手段が必要となり、また、手でカットする場合は、カット面がきたなくなり外観が悪くなってしまう。
【０００４】
ここで、段ボールに貼り付けるための連続状のテープをその貼着部分の長さに応じて切断する装置が考えられている（例えば、特許文献１，２参照。）。このような装置を用いれば、ロール状に巻き取られてなる粘着テープを、フラップ部の先端辺や段ボールの側面の一辺の長さに応じて、はさみ等の切断手段を用いることなく、かつ外観がきれいになるようにカットすることができるようになる。
【先行技術文献】
【特許文献】
【０００５】
【特許文献１】特開２００６−６２１１３号公報
【特許文献２】特開２００６−６２７７７号公報
【発明の概要】
【発明が解決しようとする課題】
【０００６】
上述したように粘着テープを用いて段ボールを封緘する作業は、物品を送付する場合も引越し等の場合も、一般消費者が行うことが多い。そのため、上述したような装置を用いて連続状の粘着テープを所望の長さにカットすることは難しく、結局、上記同様に、連続状の粘着テープを、段ボールを構成するフラップ部の先端辺や対向側面の一辺の長さに応じてカットすることとなり、はさみ等の切断手段が必要となったり、外観が悪くなってしまったりするという問題点がある。
【０００７】
また、上述した段ボールを封緘する際のように、２つのフラップ部の先端辺に沿う領域とフラップ部の側辺に沿う２つの領域とに粘着テープを貼着する場合に限らず、第１の長さを有する領域と第２の長さを有する２つの領域とにそれぞれ粘着テープを貼着する場合においては、上記同様に、粘着テープをその長さに応じてカットすることとなり、はさみ等の切断手段が必要となったり、外観が悪くなってしまったりするという問題点がある。
【０００８】
本発明は、上述したような従来の技術が有する問題点に鑑みてなされたものであって、切断手段を用いることなく、かつ外観が悪くなることなく、第１の長さを有する領域と第２の長さを有する２つの領域とに容易にラベルを貼着することができるラベルユニットを提供することを目的とする。
【課題を解決するための手段】
【０００９】
上記目的を達成するために本発明は、
一方の面に第１の貼着構造を具備し、該第１の貼着構造によって被着体に貼着される第１のラベル部と、一方の面に第２の貼着構造を具備し、該第２の貼着構造によって被着体に貼着される２つの第２のラベル部とを有するラベルユニットであって、
前記第１のラベル部は、帯状形状を具備し、前記第１の貼着構造を具備する面が内側となるように長辺方向中央部にて折り畳まれ、折り畳み状態にて互いに対向する面が前記第１の貼着構造によって剥離可能に貼着され、
前記第２のラベル部は、前記第１のラベル部の折り畳み状態にて外側となる２つの面のそれぞれに、前記第２の貼着構造を具備する面が前記第１のラベル部に対向するように剥離可能に貼着されている。
【００１０】
上記のように構成された本発明においては、段ボール等の箱状物を封緘する際のように、第１の長さを有する第１の領域と第２の長さを有する２つの第２の領域とにラベルを貼着する場合、まず、長辺方向中央部にて折り畳まれ、折り畳み状態にて互いに対向する面が第１の貼着構造によって剥離可能に貼着された第１のラベル部について、第１の貼着構造によって剥離可能に貼着された面どうしを剥離して第１のラベル部を見開き、この第１のラベル部を第１の貼着構造によって第１の領域に貼着する。この際、第２のラベル部を被着体に貼着するための第２の貼着構造は表出していない。次に、第１のラベル部の折り畳み状態にて外側となる２つの面のそれぞれに剥離可能に貼着された２つの第２のラベル部を第１のラベル部から剥離し、この第２のラベル部の一方の面に具備された第２の貼着構造によって２つの第２のラベル部を第２の領域にそれぞれ貼着する。
【００１１】
このように、第１の長さを有する第１の領域と第２の長さを有する２つの第２の領域とにラベルを貼着する場合、折り畳まれた第１のラベル部を見開いて第１のラベル部の第１の貼着構造によって第１のラベル部を第１の領域に貼着し、また、第１のラベル部から第２のラベル部を剥離して第２のラベル部の第２の貼着構造によって第２のラベル部を第２の領域に貼着すればよいため、はさみ等の切断手段が必要となったり、外観が悪くなってしまったりすることなく、第１の長さを有する領域と第２の長さを有する２つの領域とにラベルを貼着することができる。また、第１のラベル部を第１の領域に貼着する際、第２のラベル部を被着体に貼着するための第２の貼着構造は表出していないので、第２のラベル部が第２の領域以外の領域に貼着されてしまうことが回避される。また、第１のラベル部及び第２のラベル部を剥離可能に貼着しておく剥離紙等が不要であり、第１及び第２のラベル部を第１及び第２の領域に貼着した後に、剥離紙によるごみが生じてしまうことがない。
【００１２】
また、第１の貼着構造は、粘着剤と剥離剤とが、第１のラベル部の折り畳み状態にて互いに対向する面で互い違いとなるように配列されている構成とすることが考えられる。
【発明の効果】
【００１３】
以上説明したように本発明においては、一方の面に第１の貼着構造を具備し、第１の貼着構造によって被着体に貼着される第１のラベル部と、一方の面に第２の貼着構造を具備し、第２の貼着構造によって被着体に貼着される２つの第２のラベル部とを有するラベルユニットであって、第１のラベル部が、帯状形状を具備し、第１の貼着構造を具備する面が内側となるように長辺方向中央部にて折り畳まれ、折り畳み状態にて互いに対向する面が第１の貼着構造によって剥離可能に貼着され、第２のラベル部が、第１のラベル部の折り畳み状態にて外側となる２つの面のそれぞれに、第２の貼着構造を具備する面が第１のラベル部に対向するように剥離可能に貼着されている構成としたため、第１の長さを有する第１の領域と第２の長さを有する２つの第２の領域とにラベルを貼着する場合、折り畳まれた第１のラベル部を見開いて第１のラベル部の第１の貼着構造によって第１のラベル部を第１の領域に貼着し、また、第１のラベル部から第２のラベル部を剥離して第２のラベル部の第２の貼着構造によって第２のラベル部を第２の領域に貼着すればよく、それにより、はさみ等の切断手段が必要となったり、外観が悪くなってしまったりすることなく、第１の長さを有する領域と第２の長さを有する２つの領域とに容易にラベルを貼着することができる。また、第１のラベル部を第１の領域に貼着する際、第２のラベル部を被着体に貼着するための第２の貼着構造が表出しないため、第２のラベル部が第２の領域以外の領域に貼着されてしまうことを回避することができる。また、第１のラベル部及び第２のラベル部を剥離可能に貼着しておく剥離紙等が不要となるため、第１及び第２のラベル部を第１及び第２の領域に貼着した後に、剥離紙によるごみが生じてしまうことがない。
【００１４】
また、第１の貼着構造が、粘着剤と剥離剤とが、第１のラベル部の折り畳み状態にて互いに対向する面で互い違いとなるように配列されているものにおいては、第１のラベル部を被着体に貼着可能とするとともに、第１のラベル部の折り畳み状態にて互いに対向する面を剥離可能に貼着しておく構造を、特別な粘着剤を用いることなく構成することができる。
【図面の簡単な説明】
【００１５】
【図１】本発明のラベルユニットの実施の一形態を示す図であり、（ａ）は表面図、（ｂ）は（ａ）に示したＡ−Ａ’断面図、（ｃ）は（ａ）に示した第２のラベル部の裏面の構成を示す図、（ｄ）は（ａ）に示した第２のラベル部の裏面の構成を示す図、（ｅ）は（ａ）に示した第１のラベル部の表面の構成を示す図、（ｆ）は（ａ）に示した第１のラベル部の裏面の構成を示す図である。
【図２】図１に示したラベルユニットを用いて封緘される箱状物の一例を示す外観斜視図であり、（ａ）は封緘されていない状態を示す図、（ｂ）は封緘された状態を示す図である。
【図３】図１に示したラベルユニットを用いて図２に示した段ボールを封緘する方法を説明するための図である。
【図４】図１に示した第１のラベル部を見開く際のラベルユニット１の状態を説明するための図である。
【図５】図１に示したラベルユニットによって図２に示した段ボールが封緘されていく際のラベルユニットの段ボールへの貼着状態を説明するための図である。
【発明を実施するための形態】
【００１６】
以下に、本発明の実施の形態について図面を参照して説明する。
【００１７】
図１は、本発明のラベルユニットの実施の一形態を示す図であり、（ａ）は表面図、（ｂ）は（ａ）に示したＡ−Ａ’断面図、（ｃ）は（ａ）に示したラベル部２０ａの裏面の構成を示す図、（ｄ）は（ａ）に示したラベル部２０ｂの裏面の構成を示す図、（ｅ）は（ａ）に示したラベル部１０の表面の構成を示す図、（ｆ）は（ａ）に示したラベル部１０の裏面の構成を示す図である。
【００１８】
本形態のラベルユニット１は図１に示すように、帯状形状を有する第１のラベル部１０と、帯状形状を有する２つの第２のラベル部２０ａ，２０ｂとから構成されている。
【００１９】
ラベル部１０は、ラベル基材１１の一方の面に剥離剤１２が塗布されるとともに、ラベル基材１１の他方の面に、粘着剤１３と剥離剤１４とが塗布されてなる第１の貼着構造１５を具備して構成されている。そして、貼着構造１５を具備する面が内側となるように、長辺方向中央部を折り部１６として折り畳まれ、折り畳み状態にて互いに対向する面が貼着構造１５によって剥離可能に貼着されている。この貼着構造１５は、粘着剤１３と剥離剤１４とが、ラベル部１０の長辺方向に対して斜めの方向に縞状に交互に配列して塗布されており、ラベル部１０が折り部１６にて折り畳まれた場合、ラベル部１０の折り畳み状態にて互いに対向する面で粘着剤１３と剥離剤１４とが互い違いとなるように構成されている。それにより、ラベル部１０は、折り部１６として折り畳まれると、折り畳み状態にて互いに対向する面が貼着構造１５によって剥離可能に貼着され、かつ、折り畳み状態にて互いに対向する面を剥離した後においても、この貼着構造１５を構成する粘着剤１３によって被着体に貼着可能なものとなっている。このように、ラベル部１０を被着体に貼着するための貼着構造１５を、粘着剤１３と剥離剤１４とが、ラベル部１０の折り畳み状態にて互いに対向する面で互い違いとなるように配列されたものとすることにより、ラベル部１０を被着体に貼着可能とするとともに、ラベル部１０の折り畳み状態にて互いに対向する面を剥離可能に貼着しておく構造を、特別な粘着剤を用いることなく構成することができる。また、ラベル部１０の角部の１つには切り欠き１７が設けられている。
【００２０】
ラベル部２０ａは、ラベル基材２１ａの一方の面に、粘着剤２２ａが塗布されることにより第２の貼着構造を具備している。そして、ラベル部１０の折り畳み状態にて外側となる面に、粘着剤２２ａが塗布された面がラベル部１０に対向するように貼着されている。なお、ラベル部１０の折り畳み状態にて外側となる面には剥離剤１２が塗布されているため、ラベル部２０ａは、ラベル部１０に剥離可能に貼着された状態となっている。また、ラベル部２０ａは、ラベル部１０に貼着された場合に、ラベル部１０の切り欠き１７に対向する領域に切り欠き１７と同一形状を有する切り欠き２４が設けられているとともに、折り部１６に対向する角部の１つに切り欠き２３ａが設けられている。
【００２１】
ラベル部２０ｂは、ラベル基材２１ｂの一方の面に、粘着剤２２ｂが塗布されることにより第２の貼着構造を具備している。そして、ラベル部１０の折り畳み状態にて外側となる面に、粘着剤２２ｂが塗布された面がラベル部１０に対向するように貼着されている。なお、ラベル部１０の折り畳み状態にて外側となる面には剥離剤１２が塗布されているため、ラベル部２０ｂは、ラベル部２０ａ，２０ｂと同様に、ラベル部１０に剥離可能に貼着された状態となっている。また、ラベル部２０ｂは、ラベル部１０に貼着された場合に、折り部１６に対向する角部の１つに切り欠き２３ｂが設けられている。
【００２２】
以下に、上記のように構成されたラベルユニット１の使用方法について説明する。
【００２３】
まず、図１に示したラベルユニット１を用いて封緘される被着体となる箱状物について説明する。
【００２４】
図２は、図１に示したラベルユニット１を用いて封緘される箱状物の一例を示す外観斜視図であり、（ａ）は封緘されていない状態を示す図、（ｂ）は封緘された状態を示す図である。
【００２５】
図１に示したラベルユニット１を用いて封緘される箱状物としては、図２に示すような段ボール２が挙げられる。
【００２６】
図２に示した段ボール２は、互いに連接した４つの側板３１ａ〜３１ｄと、４つの側板３１ａ〜３１ｄの下縁に連接した底板３４と、側板３１ａ，３１ｂの上縁にてそれぞれ折り畳み可能に連接した２つの外フラップ３３ａ，３３ｂと、側板３１ｃ，３１ｄの上縁にてそれぞれ折り畳み可能に連接した２つの内フラップ３２ａ，３２ｂとから構成されており、側板３１ａと側板３１ｂとが互いに対向する１組の対向側板となり、側板３１ｃと側板３１ｄとが互いに対向する１組の対向側板となっている。また、外フラップ部３３ａ，３３ｂは、側板３１ａ，３１ｂの上縁にてそれぞれ折り畳まれた場合、その先端辺が互いに突き合う形状となっている。
【００２７】
上記のように構成された段ボール２は、まず、内フラップ部３２ａ，３２ｂが、側板３１ｃ，３１ｄの上縁にてそれぞれ折り畳まれ、その後、外フラップ部３３ａ，３３ｂが、側板３１ａ，３１ｂの上縁にてそれぞれ折り畳まれ、外フラップ部３３ａ，３３ｂの先端辺どうしが突き合わされた状態で封緘されることになる。
【００２８】
次に、図１に示したラベルユニット１を用いて図２に示した段ボール２を封緘する方法について説明する。
【００２９】
図３は、図１に示したラベルユニット１を用いて図２に示した段ボール２を封緘する方法を説明するための図である。
【００３０】
図２に示した段ボール２内に物品を封入し、封緘する場合は、まず、図３（ａ）に示すように、図２に示した段ボール２の内フラップ部３２ａ，３２ｂ及び外フラップ部３３ａ，３３ｂを折り畳まない状態において、段ボール２内に物品３を封入する。
【００３１】
次に、図３（ｂ）に示すように、内フラップ部３２ａ，３２ｂを、側板３１ｃ，３１ｄの上縁にてそれぞれ折り畳む。
【００３２】
次に、図３（ｃ）に示すように、外フラップ部３３ａ，３３ｂを、側板３１ａ，３１ｂの上縁にてそれぞれ折り畳む。すると、外フラップ部３３ａ，３３ｂがその先端辺どうしが突き合わされた状態となる。
【００３３】
その後、図１に示したラベルユニット１を用いて段ボール２を封緘することになる。
【００３４】
図４は、図１に示したラベル部１０を見開く際のラベルユニット１の状態を説明するための図である。
【００３５】
図４（ａ）に示すように、ラベル部１０，２０ａにそれぞれ設けられた切り欠き１７，２４を摘み代として、ラベル部１０の折り畳み状態にて互いに対向する面を剥離していき、折り畳まれたラベル部１０を見開く。ラベル部１０は、ラベル基材１１の一方の面に設けられた貼着構造１５によって、折り畳み状態にて互いに対向する面が貼着されているが、上述したように、この貼着構造１５は、粘着剤１３と剥離剤１４とが、ラベル部１０の長辺方向に対して斜めの方向に縞状に交互に配列して塗布されており、ラベル部１０が折り部１６にて折り畳まれた場合、ラベル部１０の折り畳み状態にて互いに対向する面で粘着剤１３と剥離剤１４とが互い違いとなるように構成されているため、ラベル部１０の互いに貼着された面を剥離することができる。
【００３６】
このようにしてラベル部１０を見開くと、図４（ｂ）に示すように、ラベル部１０の一方の面に設けられた、粘着剤１３と剥離剤１４とからなる貼着構造１５が表出する。
【００３７】
そして、図３（ｄ）に示すように、突き合わされた２つの外フラップ部３３ａ，３３ｂの先端辺に沿うように２つの外フラップ部３３ａ，３３ｂに跨って、ラベル部２０ａ，２０ｂが貼着されたラベル部１０を、貼着構造１５を構成する粘着剤１３によって貼着する。ここで、図１に示したラベルユニット１は、ラベル部１０の長辺の長さが、外フラップ部３３ａ，３３ｂの先端辺よりも長くなっており、また、ラベル部２０ａ，２０ｂの長さが、内フラップ部３２ａ，３２ｂに連接した側板３１ｃ，３１ｄの上縁と同じ長さとなっている。そのため、ラベル部１０を外フラップ部３３ａ，３３ｂの先端辺に沿うように２つの外フラップ部３３ａ，３３ｂに跨って貼着すると、ラベル部１０は、図３（ｄ）に示すように、外フラップ部３３ａ，３３ｂと内フラップ部３２ａ，３２ｂに連接した側板３１ｃ，３１ｄとに跨って貼着される。すなわち、外フラップ部３３ａ，３３ｂの先端辺に沿って外フラップ部３３ａ，３３ｂと内フラップ部３２ａ，３２ｂに連接した側板３１ｃ，３１ｄとに跨る領域が、ラベル部１０が貼着される第１の領域となる。
【００３８】
図５は、図１に示したラベルユニット１によって図２に示した段ボール２が封緘されていく際のラベルユニット１の段ボール２への貼着状態を説明するための図であり、図２に示した段ボール２の側板３１ａ側から見た図である。
【００３９】
上述したように、ラベル部１０が外フラップ部３３ａ，３３ｂの先端辺に沿うように２つの外フラップ部３３ａ，３３ｂに跨って貼着された状態においては、図５（ａ）に示すように、段ボール２に貼着されたラベル部１０上には、ラベル部２０ａ，２０ｂが粘着剤２２ａ，２２ｂによって貼着された状態となっている。そのため、ラベル部２０ａ，２０ｂの一方の面に塗布された粘着剤２２ａ，２２ｂが表出しておらず、それにより、ラベル部２０ａ，２０ｂが、これらラベル部２０ａ，２０ｂが後に貼着される領域以外の領域に貼着されてしまうことが回避される。
【００４０】
次に、図３（ｅ）に示すように、ラベル部２０ａ，２０ｂにそれぞれ設けられた切り欠き２３ａ，２３ｂを摘み代として、ラベルユニット１のラベル部２０ａ，２０ｂをラベル部１０から剥離する。ラベル部２０ａ，２０ｂはそれぞれ、ラベル部１０の剥離剤１２が塗布された面に貼着されているため、ラベル部１０から剥離することができる。
【００４１】
ラベルユニット１のラベル部２０ａ，２０ｂをラベル部１０から剥離すると、図５（ｂ）に示すように、外フラップ部３３ａ，３３ｂの先端辺に沿って外フラップ部３３ａ，３３ｂと内フラップ部３２ａ，３２ｂに連接した側板３１ｃ，３１ｄとに跨る領域には、ラベル部１０のみが貼着された状態となる。
【００４２】
その後、図３（ｆ）に示すように、ラベル部１０から剥離したラベル部２０ａ，２０ｂを、ラベル部１０が貼着された外フラップ部３３ａ，３３ｂの側辺に沿って、外フラップ部３３ａ，３３ｂと内フラップ部３２ａ，３２ｂに連接した側板３１ｃ，３１ｄとに跨って、ラベル部２０ａ，２０ｂの裏面にそれぞれ塗布された粘着剤２２ａ，２２ｂによって貼着する。ここで、上述したように、ラベル部２０ａ，２０ｂの長辺の長さが、内フラップ部３２ａ，３２ｂに連接した側板３１ｃ，３１ｄの上縁と同じ長さとなっているため、図３（ｆ）に示すように、外フラップ部３３ａ，３３ｂと内フラップ部３２ａ，３２ｂに連接した側板３１ｃ，３１ｄとを、側板３１ｃ，３１ｄの上縁に沿う領域の全面に渡って、ラベル部２０ａ，２０ｂの端部を折り曲げたり切断したりすることなく、それぞれ１枚のラベル部２０ａ，２０ｂによって貼着することができる。すなわち、外フラップ部３３ａ，３３ｂの側辺に沿って、外フラップ部３３ａ，３３ｂと内フラップ部３２ａ，３２ｂに連接した側板３１ｃ，３１ｄとに跨る領域が、ラベル部２０ａ，２０ｂが貼着される第２の領域となる。
【００４３】
上述したように、ラベル部２０ａ，２０ｂが、外フラップ部３３ａ，３３ｂの側辺に沿って、外フラップ部３３ａ，３３ｂと内フラップ部３２ａ，３２ｂに連接した側板３１ｃ，３１ｄとに跨って貼着された状態においては、図５（ｃ）に示すように、外フラップ部３３ａ，３３ｂの先端辺に沿うように２つの外フラップ部３３ａ，３３ｂに跨って貼着されたラベル部１０のうち、外フラップ部３３ａ，３３ｂと内フラップ部３２ａ，３２ｂに連接した側板３１ｃ，３１ｄとに跨る領域上に、ラベル部２０ａ，２０ｂが重なるように貼着されることになる。
【００４４】
このようにして、図１に示したラベルユニット１のラベル部１０，２０ａ，２０ｂが図２に示した段ボール２に貼着されることになるが、ラベル部２０ａ，２０ｂが、このラベル部２０ａ，２０ｂを段ボール２に貼着するための粘着剤２２ａ，２２ｂによってラベル部１０に剥離可能に貼着されており、また、ラベル部１０が折り部１６にて折り畳まれて折り畳み状態にて対向する面が、このラベル部１０を段ボール２に貼着するための貼着構造１５によって剥離可能に貼着されているので、ラベル部１０，２０ａ，２０ｂを剥離可能に貼着しておく剥離紙等が不要であり、それにより、ラベル部１０，２０ａ，２０ｂを用いて段ボール２を封緘した後に剥離紙によるごみが生じてしまうことがない。
【００４５】
上述したように本形態においては、ラベル部１０，２０ａ，２０ｂを用いて図２に示した段ボール２を封緘する場合、長辺の長さが、第１の長さである、外フラップ部３３ａ，３３ｂの先端辺よりも長いラベル部１０を見開き、ラベル部１０の裏面に設けられた貼着構造１５を構成する粘着剤１３によって、外フラップ部３３ａ，３３ｂの先端辺に沿うように２つの外フラップ部３３ａ，３３ｂに跨ってラベル部１０を貼着し、また、長辺の長さが、第２の長さである内フラップ部３２ａ，３２ｂに連接した側板３１ｃ，３１ｄの上縁と同じ長さのラベル部２０ａ，２０ｂを、段ボール２に貼着されたラベル部１０から剥離し、ラベル部２０ａ，２０ｂの裏面にそれぞれ塗布された粘着剤２２ａ，２２ｂによって、外フラップ部３３ａ，３３ｂの側辺に沿って、外フラップ部３３ａ，３３ｂと内フラップ部３２ａ，３２ｂに連接した側板３１ｃ，３１ｄとに跨ってラベル部２０ａ，２０ｂを貼着すればよく、それにより、はさみ等の切断手段が必要となったり、外観が悪くなってしまったりすることなく、段ボール２を容易に封緘することができる。
【００４６】
なお、本形態においては、ラベルユニット１を構成するラベル部１０，２０ａ，２０ｂが貼着されることによって封緘される箱状物として段ボール２を例に挙げて説明したが、本発明のラベルユニットによって封緘される箱状物はこれに限らず、２組の対向側板と、２組の対向側板の下縁に連接した底板と、２組の対向側板のうち一方の組の対向側板の上縁にて折り畳み可能に連接した２つの内フラップ部と、２組の対向側板のうち他方の組の対向側板の上縁にて折り畳み可能に連接し、対向側板の上縁にて折り畳まれた場合に先端辺が互いに突き合う２つの外フラップ部とを有し、内フラップ部が対向側板の上縁にて折り畳まれた後、外フラップ部が対向側板の上縁にて折り畳まれて先端辺どうしが突き合わされた状態で封緘されるものであればよい。また、ラベルユニット１を構成するラベル部１０，２０ａ，２０ｂが貼着される被着体は、そのような箱状物に限らず、第１の長さを有する第１の領域と第２の長さを有する２つの第２の領域とを有し、これら第１及び第２の領域にラベル部を貼着する必要があるものであれば、適用することができ、その場合においては、はさみ等の切断手段が必要となったり、外観が悪くなってしまったりすることなく、第１の長さを有する領域と第２の長さを有する２つの領域とに容易にラベルを貼着することができる。
【符号の説明】
【００４７】
１    ラベルユニット
２    段ボール
３    物品
１０，２０ａ，２０ｂ    ラベル部
１１，２１ａ，２１ｂ    ラベル基材
１２，１４    剥離剤
１３，２２ａ，２２ｂ    粘着剤
１５    貼着構造
１６    折り部
１７，２３ａ，２３ｂ，２４    切り欠き
３１ａ〜３１ｄ    側板
３２ａ，３２ｂ    内フラップ部
３３ａ，３３ｂ    外フラップ部
３４    底板
【図１】
2010185949.tif 000003
【図２】
2010185949.tif 000004
【図３】
2010185949.tif 000005
【図４】
2010185949.tif 000006
【図５】
2010185949.tif 000007